(57)【要約】　　　（修正有）【課題】　液晶ディスプレイ内の空気流通を順調快速とし、ファンの発生する騒音を無くし、液晶ディスプレイの放熱効率を増すことができる。【解決手段】　液晶ディスプレイのバックライトモジュールの後方に設置されて液晶ディスプレイの放熱効率を高める液晶ディスプレイの放熱装置であり、バックライトモジュール、ケース、外部放熱器及び複数の放熱ユニットで組成され、該バックライトモジュール後方のアルミ背板が導熱樹脂で放熱ユニットと固定され、アルミ背板に少なくとも一つの放熱器が設けられ、熱エネルギーをケースに伝導し、さらに液晶ディスプレイ（ＬＣＤ）ケースの外部放熱器で二度の放熱を行ない、熱エネルギーを導出して快速な放熱効果を達成する。【選択図】　図２
0003100022.tif 000002
【実用新案登録請求の範囲】
【請求項１】
　表示パネル、拡散板、複数のランプ及びバックライト板で組成されたバックライトモジュールと、該バックライトモジュールに接続されて内部にコントロールボックスと複数の導流孔を具えたケースとを具え、該バックライトモジュール内の反射層の背面がアルミ背板で固定され、且つ後方に放熱ユニットが設けられ、該ケースに外部放熱器が設けられたことを特徴とする、液晶ディスプレイの放熱装置。
【請求項２】
　前記放熱ユニットの放熱面がひれ状とされたことを特徴とする、請求項１記載の液晶ディスプレイの放熱装置。
【請求項３】
　前記放熱ユニットの放熱面が波状とされたことを特徴とする、請求項１記載の液晶ディスプレイの放熱装置。
【請求項４】
　前記放熱ユニットの放熱面が鋸歯状とされたことを特徴とする、請求項１記載の液晶ディスプレイの放熱装置。
【請求項５】
　前記外部放熱器の放熱面がひれ状とされたことを特徴とする、請求項１記載の液晶ディスプレイの放熱装置。
【請求項６】
　前記外部放熱器の放熱面が波状とされたことを特徴とする、請求項１記載の液晶ディスプレイの放熱装置。
【請求項７】
　前記外部放熱器の放熱面が鋸歯状とされたことを特徴とする、請求項１記載の液晶ディスプレイの放熱装置。
【請求項８】
　前記外部放熱器とケースが一体成形により形成されたことを特徴とする、請求項１記載の液晶ディスプレイの放熱装置。
【考案の詳細な説明】
【技術分野】
【０００１】
　本考案は液晶ディスプレイの放熱装置に係り、運転時に発生する余分の熱エネルギーを排除して液晶ディスプレイ（ＬＣＤ）に最良の作用状態を保持させる放熱装置であって、特にバックライトモジュールとケースに接合される放熱構造を指し、液晶ディスプレイ内のコントロールボックスの過熱による損壊を防止するものに関する。
【背景技術】
【０００２】
　現在、液晶ディスプレイはテレビジョン、パーソナルコンピュータに大量に応用されている。液晶自身は光を発生しないため、液晶ディスプレイにはバックライトモジュールを設けて光源を提供する必要がある。しかし光源の発生する温度が液晶ディスプレイ内のコントロールボックス及びバックライトモジュール自身の耐えられるパワーを超過すると、その装置の作用に異常或いは損壊をもたらす。ゆえに、いかに液晶ディスプレイ運転の機能に影響を与えずに、バックライトモジュールの作業温度を下げるかが重要な課題となる。
【０００３】
　現在一般に液晶ディスプレイに使用されている放熱構造方式の種類は非常に多いが、ほとんどは図１のような方式を採用している。その主要な構造は、バックライトモジュール１、ケース３及び冷却ファン２を具え、その使用方式は、ケース３の放熱孔４に近い位置に冷却ファン２が架設され、バックライトモジュール１が運転時に発生する熱エネルギーを冷却ファン２の熱対流加速によりケース３の放熱孔４より放出する、というものであり、放熱の効率は高められているが、冷却ファン２は高速回転しなければ空気対流を発生せず、もしバックライトモジュール１に直接設置すると、回転の発生する力がバックライトモジュール１の正常な運転に影響を与えるため、ケース３に架設されるが、巨大な騒音を発生し、且つ使用時に静電現象により灰塵が堆積して放熱の効果に影響を与える。
【考案の開示】
【考案が解決しようとする課題】
【０００４】
　本考案は放熱効率が良好な液晶ディスプレイの放熱装置を提供することを目的とし、それは、液晶ディスプレイ内の空気流通を順調快速とし、ファンの発生する騒音を無くし、液晶ディスプレイの放熱効率を増すことができる放熱装置であるものとする。
【課題を解決するための手段】
【０００５】
　請求項１の考案は、表示パネル、拡散板、複数のランプ及びバックライト板で組成されたバックライトモジュールと、該バックライトモジュールに接続されて内部にコントロールボックスと複数の導流孔を具えたケースとを具え、該バックライトモジュール内の反射層の背面がアルミ背板で固定され、且つ後方に放熱ユニットが設けられ、該ケースに外部放熱器が設けられたことを特徴とする、液晶ディスプレイの放熱装置としている。
　請求項２の考案は、前記放熱ユニットの放熱面がひれ状とされたことを特徴とする、請求項１記載の液晶ディスプレイの放熱装置としている。
　請求項３の考案は、前記放熱ユニットの放熱面が波状とされたことを特徴とする、請求項１記載の液晶ディスプレイの放熱装置としている。
　請求項４の考案は、前記放熱ユニットの放熱面が鋸歯状とされたことを特徴とする、請求項１記載の液晶ディスプレイの放熱装置としている。
　請求項５の考案は、前記外部放熱器の放熱面がひれ状とされたことを特徴とする、請求項１記載の液晶ディスプレイの放熱装置としている。
　請求項６の考案は、前記外部放熱器の放熱面が波状とされたことを特徴とする、請求項１記載の液晶ディスプレイの放熱装置としている。
　請求項７の考案は、前記外部放熱器の放熱面が鋸歯状とされたことを特徴とする、請求項１記載の液晶ディスプレイの放熱装置としている。
　請求項８の考案は、前記外部放熱器とケースが一体成形により形成されたことを特徴とする、請求項１記載の液晶ディスプレイの放熱装置としている。
【考案の効果】
【０００６】
　本考案の液晶ディスプレイの放熱装置は、バックライトモジュールに複数の放熱ユニットが組み付けられ、熱伝導の原理により、発生する熱エネルギーをケースに伝導し、該ケースに複数の導流孔と外部放熱器が設けられ、導流孔が空気流通に供されて気流循環を達成し、確実に騒音を減らし放熱効果を維持でき、実用性と進歩性を有している。
【考案を実施するための最良の形態】
【０００７】
　本考案はバックライトモジュール、ケース、外部放熱器及び複数の放熱ユニットで組成され、該バックライトモジュール内のバックライト板上に複数の放熱ユニットが相互に接続されて設けられ、熱伝導の原理により、作用中のバックライトモジュールの発生する熱エネルギーをケースに伝導し、該ケースに複数の導流孔と外部放熱器が設けられ、該導流孔が空気を流通させて気流循環を達成し、外部放熱器が液晶ディスプレイ内のコントロールボックスと同じ位置に取り付けられ、熱エネルギーを迅速に発散除去し、快速放熱の目的を達成する。
【実施例１】
【０００８】
　図２に示されるように、本考案の液晶ディスプレイの放熱装置は、バックライトモジュール１０、ケース４０、放熱ユニット２０及びケース４０に設けられた外部放熱器５０及びコントロールボックス３０で組成されている。該バックライトモジュール１０は拡散片１０１、プリズム１０２、拡散板１０３が設けられ、後方に複数のランプ１０４及び反射層１０５及びアルミ背板１０６が設けられてなり、導熱樹脂１０７で放熱ユニット２０と接合されている。バックライトモジュール１０はケース４０中に組み合わされ、該ケース４０に複数の導流孔４０１が設けられ、導熱樹脂１０７で外部放熱器５０がケース４０に設置される。バックライトモジュール１０の熱エネルギーが放熱ユニット２０より釈放される時、ケース４０内に熱エネルギーが充満し、さらに外部放熱器５０により熱エネルギーがケース４０に釈放され、熱対流の原理により、冷たい気流が導流孔４０１より進入し、気流循環の目的が達成される。
【０００９】
　図３に本考案のバックライトモジュール１０及び放熱ユニット２０の関係が示される。バックライトモジュール１０中のランプ１０４は熱エネルギーを発生する装置であり、ランプ１０４の後方の反射層１０５の背面にアルミ背板１０６が取り付けられ、アルミ背板１０６は熱エネルギーを伝導するが直接放熱することはできず、ゆえにアルミ背板１０６に導熱樹脂１０７で複数の放熱ユニット２０が連接され、これにより迅速な放熱の目的が達成される。
【００１０】
　図４に本考案の液晶ディスプレイ組合せ後の放熱効果が示される。放熱ユニット２０の一側が導熱樹脂１０７でアルミ背板１０６に平面固定され、もう一側は鋸歯状を呈して放熱面積を拡大し、バックライトモジュール１０の熱エネルギーがケース４０に既に導入されているが、ケース４０内にもコントロールボックス３０があるのでコントロールボックス３０の過熱による損壊を防止するため、導熱樹脂１０７で外部放熱器５０をケース４０に固定し、熱エネルギーをケース４０より導出し、二度の放熱の目的を達成する。
【００１１】
　上述の放熱ユニット２０及び外部放熱器５０の材質は高導熱材料とされ、例えば酸化アルミニウム化合物、窒化アルミニウム或いは窒化アルミニウム化合物とされ、その一側は平面とされて導熱樹脂１０７でバックライトモジュール１０及びコントロールボックス３０に固定され、もう一側はひれ状、波状或いは鋸歯状の放熱面とされ、その数量は一つ以上とされ、そのうちコントロールボックス３０に固定される外部放熱器５０はケース４０と一体成形の方式で形成されうる。
【図面の簡単な説明】
【００１２】
【図１】周知の液晶ディスプレイの放熱装置の構造図である。
【図２】本考案の液晶ディスプレイの放熱装置の分解図である。
【図３】本考案のバックライトモジュール分解図である。
【図４】本考案の液晶ディスプレイの組合せ断面図である。
【符号の説明】
【００１３】
１、１０　バックライトモジュール　　　　　１０１　拡散片
１０２　プリズム　　　　　　　　　　　　　１０３　拡散板
１０４　ランプ　　　　　　　　　　　　　　１０５　反射層
１０６　アルミ背板　　　　　　　　　　　　１０７　導熱樹脂
２０　放熱ユニット　　　　　　　　　　　　３０　コントロールボックス
３、４０　ケース　　　　　　　　　　　　　５０　外部放熱器
４０１　導流孔　　　　　　　　　　　　　　４　放熱孔
２　ファン
【図１】
0003100022.tif 000003
【図２】
0003100022.tif 000004
【図３】
0003100022.tif 000005
【図４】
0003100022.tif 000006